(57)【要約】  車で使用するためのプラガブルデジタルビデオ記録装置が提供され、本装置は、ケーシングと、コントロールパネルと、施錠機構と、メインユニットとを備える。ケーシングは外箱に収容され、コントロールパネルは、ケーシングに配置され且つ外箱の前端に揃えられる。さらに、施錠機構は、コントロールパネルに配置され、外箱に対してケーシングを施錠する。さらに、メインユニットは、ケーシングに複数のデータ記憶媒体を有する。ビデオ記録装置を車から取り外して使用する必要がある場合には、施錠機構を開錠してデータ伝送路により装置をコンピュータホストに接続するだけでよく、その後ビデオ記録装置に電力が供給されてビデオ情報及びオーディオ情報を直接再生する。
2008513930.tif 000002
【特許請求の範囲】
【請求項１】
安全監視システムに適した、車で使用するためのプラガブルデジタルビデオ記録装置であって、前記安全監視システムは、複数の画像センサと、衛星測位受信機と、スピーカと、車で使用するためのディスプレイとを備え、該車で使用するためのプラガブルデジタルビデオ記録装置は、
前記車の外箱に収容されるケーシングと、
該ケーシングに配置され且つ前記外箱の前端に揃えられるコントロールパネルと、
該コントロールパネルに配置され、前記外箱に対して前記ケーシングを施錠するための施錠機構と、
前記ケーシングに複数のデータ記憶媒体を有するメインユニットであって、動画像及び音声をデジタルに記録するとともに、前記安全監視システムにより検出されるデータを、リアルタイム記録により前記データ記憶媒体に記憶する、メインユニットと
を備える、車で使用するためのプラガブルデジタルビデオ記録装置。
【請求項２】
前記メインユニットは、前記車で使用するためのプラガブルデジタルビデオ記録装置が前記外箱から開錠され取り外される際に、該車で使用するためのプラガブルデジタルビデオ記録装置をコンピュータホストに接続するための伝送インタフェースをさらに備える、請求項１に記載の車で使用するためのプラガブルデジタルビデオ記録装置。
【請求項３】
前記伝送インタフェースはユニバーサルシリアルバス（ＵＳＢ）伝送インタフェース又はＩＥＥＥ１３９４伝送インタフェースである、請求項１に記載の車で使用するためのプラガブルデジタルビデオ記録装置。
【請求項４】
前記コントロールパネルは、記録機能、一時停止機能、再生機能、及び停止機能を実行するための複数のコントロールキーを備える、請求項１に記載の車で使用するためのプラガブルデジタルビデオ記録装置。
【請求項５】
前記データ記憶媒体はハードディスクを含む、請求項１に記載の車で使用するためのプラガブルデジタルビデオ記録装置。
【発明の詳細な説明】
【技術分野】
【０００１】
［発明の背景］
［発明の分野］
本発明は、携帯型記憶装置に関する。より詳細には、本発明は、車で使用するためのプラガブルデジタルビデオ記録装置に関する。
【背景技術】
【０００２】
［関連技術の記載］
デジタルビデオレコーダ（略してＤＶＲ）の主な機能は、従来のアナログビデオレコーダに取って代わることである。データは、デジタルビデオ記録操作を通してデジタル化されるため、長期間保存することが可能であり、またそのためデータベースで検索することが可能である。また、記憶媒体のコスト及び空間を削減することもできる。デジタルビデオレコーダは、現代の安全監視システムのハイテク製品である。
【０００３】
一般的に、デジタルビデオレコーダはハードディスクドライバ及びビデオキャプチャカードを備える。外部感知素子により取得されるデータは、記憶容量が大きいハードディスクに記憶することができる。通常、３０ＧＢのハードディスクが動画像フォーマットに記録される場合、約４００〜７２０時間使用することができる。大量の画像データをハードディスクから他の記憶媒体（光ディスク等）に、保管又は管理するためにコピーすることもできる。デジタルビデオ記録により採用される圧縮技術は成熟し、圧縮率が高くなっているので、長時間のビデオ監視に適している。長時間連続的に記録する場合、ユーザは十分な圧縮空間を有するハードディスクを購入するだけでよい。そのため、家庭又は路上での安全を保障することができる。
【０００４】
しかしながら、車で使用するための通常のデジタルビデオレコーダは車にねじ留めされ、その本体は固定されハウジングに囲まれ取り外すことができないため、非常に不便である。さらに、車で使用するためのデジタルビデオレコーダはあまりに大きく、一般の携帯型電子装置ほど軽くも、薄くも、短くもまた小さくもないため、携帯性がさほど高くなく、それが占める空間はあまりに大きい。
【発明の開示】
【発明が解決しようとする課題】
【０００５】
［発明の概要］
したがって、本発明は、車で使用するためのプラガブルデジタルビデオ記録装置であって、車から取り外すことができ且つ携帯型データ記憶媒体として使用することができる、プラガブルデジタルビデオ記録装置を提供することに関する。
【課題を解決するための手段】
【０００６】
本発明は、車で使用するためのプラガブルデジタルビデオ記録装置であって、安全監視システムで使用するのに適した、プラガブルデジタルビデオ記録装置を提供する。安全監視システムは、複数の画像センサと、衛星測位受信機と、スピーカと、車で使用するためのディスプレイとを備える。この車で使用するためのプラガブルデジタルビデオ記録装置は、ケーシングと、コントロールパネルと、施錠機構と、メインユニットとを備える。ケーシングは車の外箱に収容されることができ、コントロールパネルは、ケーシングに配置され且つ外箱の前端に揃えられる。さらに、施錠機構は、コントロールパネルに配置されて外箱に対してケーシングを施錠する。さらに、メインユニットは、ケーシングに複数のデータ記憶媒体を有する。メインユニットは、動画像及び音声をデジタルに記録し、安全監視システムにより検出されるデータを、リアルタイム記録によりこれらのデータ記憶媒体に記憶する。
【０００７】
本発明の一実施の形態によれば、上記のメインユニットは伝送インタフェースをさらに備える。車で使用するためのプラガブルデジタルビデオ記録装置が外箱から開錠され取り外される際には、この伝送インタフェースを介してコンピュータホストに接続されることができる。伝送インタフェースは、例えば、ユニバーサルシリアルバス（ＵＳＢ）伝送インタフェース又はＩＥＥＥ１３９４伝送インタフェースである。
【０００８】
本発明の一実施の形態によれば、上記のコントロールパネルは、記録機能、一時停止機能、再生機能、及び停止機能等を実行するための複数のコントロールキーを備える。
【０００９】
本発明の一実施の形態によれば、上記のデータ記憶媒体は、例えばハードディスクである。
【００１０】
本発明はプラガブルな本体を採用するため、それを外箱に直接差し込み、そのコントロールパネルを外箱の前端に揃え、その後複雑な施錠機構を用いることなく施錠機構を施錠することができる。本体を車から取り外さなければならない場合、施錠機構を開錠するだけで本体から取り外すことができ、本体は高速データ伝送路によりコンピュータホストに接続することができ、その後ビデオ記録装置に電力が供給され、ビデオ情報及びオーディオ情報を直接再生する。このように、本発明は非常に好都合であり携帯性が高い。
【００１１】
本発明の上記の、並びに他の目的、特徴及び利点を理解できるようにするために、図面とともに好適な一実施の形態を以下で詳細に説明する。
【００１２】
上記の概略的な説明及び以下の詳細な説明はともに例示であり、特許請求される本発明のさらなる説明を提供するように意図されていることは理解されたい。
【００１３】
添付図面は、本発明のさらなる理解を提供するために含められ、本明細書に援用され本明細書の一部を成す。図面は、本発明の実施の形態を例示し、明細書本文とともに本発明の原理を説明する役割を果たす。
【発明を実施するための最良の形態】
【００１４】
［実施形態の記載］
図１を参照すると、安全監視システムにおいて使用される、本発明によるデジタルビデオ記録装置の概略図が示される。この実施形態では、詳細な例示は、特に車内の安全監視システムにより使用されるデジタルビデオ記録装置１００に関するものである。このデジタルビデオ記録装置１００の本体は、小型画像センサ１２０、衛星測位受信機１３０、バックミラーディスプレイ１４０、車で使用するためのディスプレイ１５０、スピーカ１６０、リモートコントロール１７０等を含む、様々な外部監視装置に接続されてもよい。小型画像センサ１２０は、例えば、高解像度のＣＭＯＳ画像センサ又はＣＣＤ画像センサであり、車の前側及び後側に結合されることができ、それによりリアルタイムの画像を動的に取得してデータをデジタルビデオ記録装置１００に転送し戻して、データを記憶し時間を記録することができる。さらに、衛星測位受信機１３０はいつでも交通情報を取得して、データをデジタルビデオ記録装置１００に転送し戻して、運転者に最新の交通情報を知らせることができる。バックミラーディスプレイ１４０及び車で使用するためのディスプレイ１５０は、画像センサ１２０及び衛星測位受信機１３０により受信したデータを表示し、スピーカ１６０を介して警告音又は道路情報を発し、それにより運転者は最新の動的情報を見ることができる。
【００１５】
図２及び図３を参照する。図２は、本発明による、車で使用するためのプラガブルデジタルビデオ記録装置の組立概略図を示し、図３は、図２のデジタルビデオ記録装置が取り外された後の概略図を示す。このデジタルビデオ記録装置１００は、ケーシング１１０及びコントロールパネル１１２を有する。メインユニットはケーシング１１０に搭載することができる。メインユニットは、動画像を記憶するための複数のデータ記憶媒体を有する（図２及び図３には図示せず）。ケーシング１１０は車の外箱１１４に収納され、コントロールパネル１１２は、ケーシング１１０の前端に結合され、ビデオ記録信号又は再生信号をメインユニットに入力する。この実施形態では、コントロールパネル１１２は、記録機能、一時停止機能、再生機能、及び停止機能等を実行するための複数のコントロールキー１０２〜１０６を備える。当然ながら、早送り／巻戻しキー又は検索キー等の共通のコントロールキー１０７等が、コントロールパネル１１２上にあってもよい。
【００１６】
さらに、施錠機構１０８がコントロールパネル１１２に配置される。ユーザがデジタルビデオ記録装置１００を外箱１１４に差し込み、コントロールパネル１１２を外箱１１４の前端に揃えると、鍵（図示せず）が施錠機構１０８に施錠するために差し込まれ、そのためケーシング１１０は外箱１１４に固定され取り外すことができない。デジタルビデオ記録装置１００を外箱１１４から取り外すことが要求される場合、ねじ又は他の施錠機構を取り外すことなく、施錠機構１０８を鍵を用いて開錠するだけでよい。そのため、本発明のデジタルビデオ記録装置は好都合に設置又は取り外すことができる。
【００１７】
図４を参照すると、図３の外箱の内部の概略図が示される。この実施形態では、様々な信号コネクタ１１６〜１１９が外箱１１４の基板１１５上に配置され、ＡＶ端子、ＲＳ−２３２端子又は他のデジタル信号端子等の様々な種類の信号端子を接続することができる。さらに、デジタルビデオ記録装置１００は、例えば、ＵＳＢ２．０又はＩＥＥＥ１３９４等の高速伝送インタフェース等の伝送インタフェース（図示せず）をさらに有し、伝送インタフェースは画像信号の出力端子として機能する。デジタルビデオ記録装置１００が車から取り外される際には、高速信号伝送路を介してコンピュータホスト（図示せず）に接続されることができ、その後ビデオ情報及びオーディオ情報を直接再生することができる。代替的には、コンピュータ内で構築されるソフトウェアを、一定の時刻にビデオを検索するように使用してもよい。また、ユーザはネットワークを介してビデオ画像を伝送するか、又はＭＰＥＧ−４、ＪＰＥＧ若しくはＭ−ＪＰＥＧ等の様々なマルチメディアファイル等の静止ビデオ画像を印刷することができる。さらに、デジタルビデオ記録装置１００内の大量の画像データをデータ記憶媒体（ハードディスク等）から他の記憶媒体（光ディスク等）に保管又は管理するためにコピーしてもよい。そのため、デジタルビデオ記録装置１００は長時間のビデオ監視に非常に適している。
【００１８】
要するに、本発明による、車で使用するためのプラガブルデジタルビデオ記録装置の本体は、動画像及び音声をデジタルに記録し、安全監視システムにより検出されるデータを、リアルタイム記録によりデータ記憶媒体に記憶する。また、本体の体積が小さいため、装置を取り外す際に占有する空間は小さく、そのため携帯型データ記憶媒体として使用することができる。特に、車で使用するためのプラガブルデジタルビデオ記録装置のケーシングは施錠機構によってのみ外箱に施錠されるため、装置を好都合に設置し且つ取り外すことができ、そのため高い実用性を有する。
【００１９】
本発明の範囲及び精神から逸脱することなく、本発明の構造に様々な変更及び変形を行うことができることは当業者には明らかであろう。上記に鑑みて、本発明が添付の特許請求の範囲及びその均等物の範囲内に入る限り、本発明はその変更及び変形を網羅することが意図される。
【図面の簡単な説明】
【００２０】
【図１】安全監視システムにおいて使用される、本発明によるデジタルビデオ記録装置の概略図である。
【図２】本発明による、車で使用するためのプラガブルデジタルビデオ記録装置の組立概略図である。
【図３】図２のデジタルビデオ記録装置が取り外された後の概略図である。
【図４】図３の外箱の内部の概略図である。
【図１】
2008513930.tif 000003
【図２】
2008513930.tif 000004
【図３】
2008513930.tif 000005
【図４】
2008513930.tif 000006
【国際調査報告】
2008513930.tif 000007
2008513930.tif 000008